【事件の表示】
　特許第３２５０００８号「パチンコ機用施錠装置」の請求項１、２に係る特許に対する特許異議の申立てについて、次のとおり決定する。
【結　論】
　訂正を認める。
　特許第３２５０００８号の請求項１に係る特許を取り消す。
【理　由】
第１．手続の経緯
　本件特許第３２５０００８号の請求項１及び２に係る発明は、平成１０年１月２３日に特許出願され、平成１３年１１月１６日にその発明について特許権の設定登録がなされ、その後、請求項１及び２に係る発明の特許について、本間幹雄より特許異議の申立てがなされ、取消理由通知がなされ、その指定期間内である平成１５年３月１０日に訂正請求がなされたものである。
　
第２．訂正の適否についての判断
　
１．訂正の内容
　平成１５年３月１０日付けの訂正請求は、本件特許明細書を訂正請求書に添付した訂正明細書のとおりに訂正しようとするものであって、その訂正の内容は、以下のとおりである。
・訂正事項ａ
　特許明細書の特許請求の範囲の請求項１における、「該前面枠を施錠するパチンコ機用施錠装置において、」を、「該前面枠を施錠するパチンコ機用施錠装置において、該基枠の取付板の一部を切り開き内側に曲折して取付ブラケット部が凹状に形成され、該取付ブラケット部にシリンダ錠の元部のフランジがねじ止めされ、」と訂正する。
．訂正事項ｂ
　特許明細書の特許請求の範囲の請求項２を削除する。
・訂正事項ｃ
　特許明細書の段落【０００８】【課題を解決するための手段】の欄の記載を、「上記の目的を達成するために、本発明の施錠装置は、取付板と支持板からなる縦長の基枠の内側に、上部と下部に鉤部を一体的に設けた摺動杆が摺動可能に配設され、基枠の取付板にシリンダ錠がその錠軸を内側に差込むように固定され、錠軸の先端に摺動杆と係合するカム板が固定され、基枠の取付板がパチンコ機の前面枠に縦に取付けられ、パチンコ機の本体枠側に取付けられた受け金具に鉤部材が係止されて前面枠を施錠するパチンコ機用施錠装置において、基枠の取付板の一部を切り開き内側に曲折して取付ブラケツト部が凹状に形成され、取付ブラケット部にシリンダ錠の元部のフランジがねじ止めされ、基枠の取付板の上部と下部に挿入孔が形成され、挿入孔に対応した位置に係止孔を設けたガラス枠施錠杆が、基枠内の取付板に沿って摺動可能に配設され、ガラス枠施錠杆には複数の長孔が形成され、取付板に固定された頭付きガイドピンを長孔に通してガラス枠施錠杆が所定の範囲で上下摺動可能に支持され、ガラス枠施錠杆の一部に前記カム板が係合可能な係合部が設けられ、パチンコ機のガラス枠の内側に設けたガラス枠鉤部が、ガラス枠の閉鎖時に、挿入孔からガラス枠施錠杆の係止孔に進入して係止・施錠され、シリンダ錠を前面枠の解錠時と反対方向に回してカム板を同方向に回動させることにより、ガラス枠施錠杆を摺動させてガラス枠鉤部と係止孔の係合を解きガラス枠を解錠することを特徴とする。」と訂正する。　
　
２．訂正の目的の適否、新規事項の有無及び拡張変更の存否の判断
　上記訂正事項ａは、特許明細書の特許請求の範囲の請求項２に記載されていた事項に基づいて、シリンダー錠の固定について限定したものであり、上記訂正事項ｂは、特許請求の範囲の請求項２を削除するものであり、いずれも特許請求の範囲の滅縮を目的とするものである。
　上記訂正事項ｃは、上記訂正事項ａ、ｂの特許請求の範囲の訂正に伴って、訂正された特許請求の範囲の記載と発明の詳細な説明の記載との整合を図るものであるから、この訂正は、明りようでない記載の釈明に相当するものである。
　したがって、上記訂正事項ａ〜ｃは、いずれも、新規事項の追加に該当せず、実質上特許請求の範囲を拡張し、変更するものではない。
　
３．むすび
　以上のとおりであるから、上記訂正は、特許法第１２０条の４第２項及び同条第３項において準用する特許法第１２６条第２項及び第３項の規定に適合するので、当該訂正を認める。
　
第３．特許異議の申立てについての判断
　
１．本件発明
　上記第２．で示したように上記訂正が認められるから、本件の請求項１に係る発明は、上記訂正に係る訂正明細書の特許請求の範囲の請求項１に記載された事項により特定される以下のとおりのものである。
「【請求項１】取付板と支持板からなる縦長の基枠の内側に、上部と下部に鉤部を一体的に設けた摺動杆が摺動可能に配設され、該基枠の取付板にシリンダ錠がその錠軸を内側に差込むように固定され、該錠軸の先端に前記摺動杆と係合するカム板が固定され、前記基枠の取付板がパチンコ機の前面枠に縦に取付けられ、パチンコ機の本体枠側に取付けられた受け金具に前記鉤部が係止されて該前面枠を施錠するパチンコ機用施錠装置において、該基枠の取付板の一部を切り開き内側に曲折して取付ブラケット部が凹状に形成され、該取付ブラケット部にシリンダ錠の元部のフランジがねじ止めされ、該基枠の取付板の上部と下部に挿入孔が形成され、該挿入孔に対応した位置に係止孔を設けたガラス枠施錠杆が、前記基枠内の取付板に沿って摺動可能に配設され、該ガラス枠施錠杆には複数の長孔が形成され、該取付板に固定された頭付きガイドピンを該長孔に通してガラス枠施錠杆が所定の範囲で上下摺動可能に支持され、該ガラス枠施錠杆の一部に前記カム板が係合可能な係合部が設けられ、パチンコ機のガラス枠の内側に設けたガラス枠鉤部が、該ガラス枠の閉鎖時に、該挿入孔から該ガラス枠施錠杆の係止孔に進入して係止・施錠され、前記シリンダ錠を前面枠の解錠時と反対方向に回して該カム板を同方向に回動させることにより、ガラス枠施錠杆を摺動させて該ガラス枠鉤部と係止孔の係合を解きガラス枠を解錠することを特徴とするパチンコ機用施錠装置。」（以下、「本件発明」という。）
　
２．引用刊行物に記載された発明
　当審が平成１４年１２月２５日付けで通知した取消しの理由で引用した刊行物１（特開平８−１４１１８３号公報（異議申立人の甲第１号証））には、以下の事項が記載されている。
ａ「【０００９】（ロ）外枠　外枠３０は、木製の板材を枠組み構成することにより形成され、その一側上下に固着される軸支用金具３２（図２には、上部の軸支用金具３２のみを図示したが、下部の軸支用金具３２は、次に説明する当て板３３の上部に固着される）に枠基体２が開閉自在に軸支される。また、外枠３０の下部前面には、閉じたときに枠基体２の下辺部を載置する当て板３３が固定されている。更に、外枠３０の開放側の内側上下には、後に詳述する施錠装置２００と係脱して枠基体２を閉じたり開放したりするための係止金具３１が固着されている。この係止金具３１と施錠装置２００との関係については、後に詳述する。なお、当て板３３を含む外枠３０を木製の板材ではなく、合成樹脂によって一体成型又は別体に成型して組み立てて構成しても良い。」（【０００９】）
ｂ「【００３２】まず、施錠装置２００の構造について図４を中心にして説明する。施錠装置２００は、断面Ｌ字型に形成される取付基板２０１に集約して形成される。即ち、取付基板２０１の一方辺は、枠基体２の裏面に突設される取付ボス（図示しない）に止着される取付面２０１ａであり、該取付面２０１ａに直角状となっている他方辺は、第１可動部材２０８が摺接する摺接面２０１ｂとなっている。しかして、取付面２０１ａ上端から下端にかけて枠基体２の取付ボスに止着するための取付穴２０２が適宜間隔をおいて穿設されると共に、取付面２０１ａの上方寄りには、錠挿入口２０３が開設されている。この錠挿入口２０３には、錠部材としてのシリンダー錠２２１を内蔵している錠ホルダー２２０が取り付けられるようになっているが、この取付は、錠挿入口２０３の上下に形成される錠取付穴２０４に錠ホルダー２２０をビスで止着することにより行われる。また、シリンダー錠２２１の後端には、第１作動突起２２３と第２作動突起２２４とが二股状に設けられる作動部材２２２が固着されている。第１作動突起２２３は、後述する第２可動部材２２６の係合部２３４と係合して第２可動部材２２６を下降せしめ、第２作動突起２２４は、後述する第１可動部材２０８の係合凹部２１９と係合して第１可動部材２０８を上昇せしめる。また、作動部材２２２のシリンダー錠２２１への固着は、作動部材２２２に穿設された支点穴２２５をシリンダー錠２２１の後端中心軸に対応させてビスで止着することにより行われる。更に、取付面２０１ａには、錠挿入口２０３のやや下方と中央よりやや下方に長方形状の連通口２０６が開設されている。この連通口２０６には、透明板保持枠５０の開放側に設けられる係合フック部６４が貫通するものである。」（【００３２】）
ｃ「【００３４】上記した取付基板２０１の摺接面２０１ｂの内側面には、第１可動部材２０８が当接しながら上下動可能に設けられるが、この第１可動部材２０８は、その上下にフック部材２０９，２１０が設けられる。このフック部材２０９，２１０は、杆状の可動部材本体２０８と取付穴２１４ａ，２１４ｂ、２１５ａ，２１５ｂを介してリベット２１６，２１７で連結されるようになっているが、そのリベット２１６，２１７による連結は、可動部材本体２０８とフック部材２０９，２１０との取付穴２１４ａ，２１４ｂ、２１５ａ，２１５ｂを規制長穴２０７に合致させた状態で取付基板２０１の摺接面２０１ｂの外側面方向からリベット２１６，２１７を差し込んで樫めることにより行い、リベット２１６，２１７の頭部が規制長穴２０７の外側に位置するようにして第１可動部材２０８が取付基板２０１に対して上下動可能なように取り付けられている。」（【００３４】）
ｄ「【００３６】また、取付基板２０１の取付面２０１ａの内側面には、第２可動部材２２６が当接しながら上下動可能に設けられるが、この第２可動部材２２６は、第２可動部材２２６の上部、中央部及び下部に穿設された規制長穴２３３の外側からリベット２３７を差し込んで該リベット２３７の先端を取付面２０１ａに形成された取付穴２３６に嵌着することにより、取付基板２０１に対して規制長穴２３３の範囲内で上下方向に移動可能に取り付けられるものである。また、第２可動部材２２６には、前記連通口２０６に対応する位置に係合開口２３５が開設されている。この係合開口２３５は、透明板保持枠５０側に設けられる係合フック部６４との係脱を行うものである。更に、前述したように第２可動部材２２６の中程には、操作レバー２２７が後方に向けて突設され、また、上端に摺接面２０１ｂと当接する方向に取り付けられる係合部２３４が延設されている。このように構成された第２可動部材２２６をリベット２３７で取付基板２０１に取り付けた状態では、第２可動部材２２６に形成されたスプリング取付部２３０と取付面２０１ａに形成されたスプリング取付部２３１との間にスプリング２３２が差し渡されて常に第２可動部材２２６を上方に付勢していると共に、上端の係合部２３４の上部に前記第１作動突起２２３が位置した状態となっている。なお、前記係合開口２３５の上部開口縁の裏側には、図８に示すように、係合フック部６４の傾斜上辺６４ｂと当接しながら係合フック部６４を前方に押し出す作用を行う湾曲状の誘導部２３５ａが形成されている。」（【００３６】）
ｅ「【００３８】上記のように構成される施錠装置２００の作用について簡単に説明する。まず、外枠３０に対する枠基体２の解錠及び施錠について図６を参照して説明すると、遊技場の店員がシリンダー錠２２１に図示しない所定の鍵を差し込んで時計回転方向に回すと、作動部材２２２も時計回転方向（図６では、背面から見ているため、反時計回転方向）に回動する。すると、図６（Ｂ）に示すように、第２作動突起２２４と係合凹部２１９とが係合してスプリング２１３の付勢力に抗して第１可動部材２０８を上昇させるので、フック部材２０９，２１０も上昇する。このため、フック部材２０９，２１０の係止部２０９ａ，２１０ａと外枠３０の係止金具３１との係合位置関係が外れるので、その状態でシリンダー錠２２１に鍵を差し込んだままの鍵を引っ張ることにより枠基体２全体を回動させて開放することができる。一方、開放した枠基体２を閉じるときには、そのまま枠基体２を押し込むことによりフック部材２０９，２１０の誘導傾斜部２０９ｂ，２１０ｂと係止金具３１との当接により第１可動部材２０８がスプリング２１３の付勢力に抗して上昇し、遂には、係止部２０９ａ，２１０ａが係止金具３１と係合する位置でスプリング２１３の付勢力により第１可動部材２０８が下降してフック部材２０９，２１０と係止金具３１とが完全に施錠された状態となる。【００３９】次に、枠基体２に対する透明板保持枠５０の解錠及び施錠について図７を参照して説明すると、遊技場の店員がシリンダー錠２２１に図示しない所定の鍵を差し込んで反時計回転方向に回すと、作動部材２２２も反時計回転方向（図示では背面から見ているため時計回転方向）に回動する。すると、第１作動突起２２３と係合部２３４とが係合してスプリング２３２の付勢力に抗して第２可動部材２２６を下降させるので、係合開口２３５も下降する。このため、図７（Ｂ）に示す係合開口２３５と係合フック部６４との係合状態から係合開口２３５の下降により係合フック部６４の傾斜上辺６４ａと誘導部２３５ａとの作用により係合フック部６４が前方に押し出されて透明板保持枠５０の係合が解除されて自然に透明板保持枠５０が所定角度だけ前方に飛び出す。これにより僅かに開放している透明板保持枠５０の開放側の一部を持って引き出すことにより極めて容易に開放することができる。一方、開放した透明板保持枠５０を閉じるときには、そのまま透明板保持枠５０を押し込むことにより係合フック部６４が枠基体２に形成されたフック連通穴１３を貫通して施錠装置２００の連通口２０６に侵入し、上昇している第２可動部材２２６の係合開口２３５の一部に侵入する。その状態でさらに押し込むことにより係合フック部６４の先端下辺の傾斜下辺６４ｂと係合開口２３５との当接により第２可動部材２２６がスプリング２３２の付勢力に抗して下降し、遂には、係合開口２３５が係合フック部６４と係合する位置でスプリング２３２の付勢力により第２可動部材２２６が上昇して係合フック部６４と係合開口２３５とが完全に施錠された状態となる。なお、透明板保持枠５０を解錠する場合には、枠基体２を開放した状態で操作レバー２２７を押し下げることによっても行うことができる。」（【００３８】〜【００３９】）
　また、図面の図８には、シリンダ錠２２１を内蔵している錠ホルダー２２０の元部のフランジがビス止めされる部分が取付基板２０１の取付面２０１ａより内側に入った部分にあり、該フランジがビス止めされる部分を含む錠挿入口２０３は全体として、取付面２０１ａから内側に曲折して凹状に開設されている点及びシリンダー錠２２１の後端が錠挿入口２０３から内方に突出している点が示されている。
　これらの記載事項ａ〜ｅ及び図面の図８によれば、刊行物１には、以下の発明が記載されていると認められる。
「取付面２０１ａと摺接面２０１ｂからなる縦長の取付基枠２０１の内側に、上部と下部にフック部材２０９を一体的に設けた第１可動部材２０８が摺動可能に配設され、
　取付基板２０１の取付面２０１ａに、錠挿入口２０３が開設され、シリンダ錠２２１を内蔵している錠ホルダー２２０の取付が、錠挿入口２０３の上下に形成される錠取付穴２０４に錠ホルダー２２０をビスで止着することにより行われ、錠挿入口２０３から内方に突出したシリンダー錠２２１の後端には、第１可動部材２０８と係合する作動部材２２２が、作動部材２２２に穿設された支点穴２２５をシリンダー錠２２１の後端中心軸に対応させてビスで止着することにより固着され、
　取付基板２０１の取付面２０１ａが弾球遊技機の枠基体２に縦に取付けられ、弾球遊技機の外枠３０側に取り付けられた係止金具３１にフック部材２０９が係止されて枠基体２を施錠する弾球遊技機の施錠装置において、
　錠取付穴２０４を形成した錠挿入口２０３が取付面２０１ａから内側に曲折して凹状に開設され、シリンダー錠２２１の錠ホルダー２２０の元部のフランジが錠取付穴２０４にビスで止着され、
　取付基板２０１の取付面２０１ａの上部と下部に連通口２０６が形成され、
　連通口２０６に対応した位置に係合開口２３５を設けた第２可動部材２２６が、取付基板２０１内の取付面２０１ａに沿って摺動可能に配置され、第２可動部材２２６には複数の規制長孔２３３が形成され、取付面２０１ａに固定された頭付きのリベット２３７を規制長孔２３３に通して第２可動部材２２６が所定の範囲で上下摺動可能に支持され、
　第２可動部材２２６の一部に作動部材２２２が係合可能な係合部２３４が設けられ、
　パチンコ機の透明板保持枠５０の内側に設けた係合フック部６４が、透明板保持枠５０の閉鎖時に、連通口２０６から第２可動部材２２６の係合開口２３５に進入して係止・施錠され、
　シリンダ錠２２１を枠基体２の解錠時と反対方向に回して作動部材２２２を同方向に回動させることにより、第２可動部材２２６を摺動させて係合フック部６４と係合開口２３５の係合を解き透明板保持枠５０を解錠する弾球遊技機に設けられた施錠装置２００。」（以下、「引用発明」という。）
　同じく刊行物４（特開平９−１９５５５号公報）には、以下の事項が記載されている。
ｆ「【請求項１】シリンダ錠のキー操作によって基枠体の長手方向に沿って解錠方向に移動させられる作動部材を備えているパチンコ機の施錠装置において、前記作動部材が棒状材からなることを特徴とするパチンコ機の施錠装置。．．．【請求項３】請求項１記載のパチンコ機の施錠装置において、前枠用作動部材とガラス枠用作動部材として２本の棒状材を備えるとともに、シリンダ錠の錠軸に固定されて前記両棒状材を移動させるためのカム板を間にしてその両棒状材を平行状に配置させたことを特徴とするパチンコ機の施錠装置。」（【請求項１】及び【請求項３】）
ｇ「【００１５】図１〜図３において、前記取付板１ａのほぼ中央部にはシリンダ錠１５が設けられている。このシリンダ錠１５は、取付板１ａの中央部に設けられた孔に裏側から挿通され、そのシリンダ錠１５の鍔となる取付基板１８を取付板１ａに固定ねじ２３によりねじ止めすることによって基枠体１に固定されている。シリンダ錠１５は、図示しないが、その前面にキー孔を有しており、そのキー孔にキー１９を差し込むことによって操作される。シリンダ錠１５は、その裏方へ突出しかつ前記キー１９の操作によって回動させられる錠軸１５ａを有している。この錠軸１５ａの突出端には、ほぼ三日月形状のカム板１７が取り付けられている。カム板１７は前記前枠用作動ロッド４とガラス枠用作動ロッド９との間に位置し、その作動ロッド４，９の間に突出する上下の突部１７ａ，１７ｂを有している。」（【００１５】）
　これらの記載事項ｆ及びｇによれば、刊行物４には、以下の発明が記載されていると認められる。
「取付板１ａの中央部に設けられた孔に裏側から挿通され、シリンダ錠１５の鍔となる取付基板１８を取付板１ａに固定ねじ２３によりねじ止めすることによって基枠体１に固定され、その突出端にほぼ三日月形状のカム板１７が取り付けられた錠軸１５ａを裏方へ突出しているパチンコ機の施錠装置のシリンダ錠１５。」
　
３．対比判断
ａ．本件発明と引用発明とを対比すると、
　引用発明における「取付面２０１ａ」、「摺接面２０１ｂ」、「取付基板２０１」、「フック部材２０９」、「第１可動部材２０８」、「シリンダ錠２２１」、「シリンダ錠２２１の後端中心軸」、「作動部材２２２」、「枠基体２」、「外枠３０」、「係止金具３１」、「錠取付穴２０４を形成した錠挿入口２０３」、「錠取り付け穴２０４にビスで止着されるフランジ」、「ビス」、「連通口２０６」、「係合開口２３５」、「第２可動部材２２６」、「規制長孔２３３」、「リベット２３７」、「係合部２３４」、「透明板保持枠５０」、「係合フック部６４」及び「弾球遊技機の施錠装置２００」は、それぞれ、
　本件発明における、「取付板２」、「支持板３」、「基枠１」、「鈎部４、５」、「摺動杆６」、「シリンダ錠７」、「錠軸」、「力ム板８」、「前面枠２１」、「本体枠２０」、「受け金具２４、２５」、「取付ブラケット部」、「取付ブラケットにねじ止めされるフランジ７ａ」、「ねじ」、「挿入孔２ａ、２ｂ」、「係止孔１２、１３」、「ガラス枠施錠杆１０」、「長孔１０ｃ」、「頭付きガイドピン２ｃ」、「係合部１４」、「ガラス枠２２」、「ガラス枠鈎部２６、２７」及び「パチンコ機用施錠装置」に相当する。
　また、引用発明における「錠挿入口２０３から内方に突出したシリンダー錠２２１の後端には、第１可動部材２０８と係合する作動部材２２２が、作動部材２２２に穿設された支点穴２２５をシリンダー錠２２１の後端中心軸に対応させてビスで止着することにより固着され」る構成は、本件発明における「取付板にシリンダ錠がその錠軸を内側に差込むように固定され、該錠軸の先端に前記摺動杆と係合するカム板が固定され」る構成に相当する。
　そうすると、両者は、以下の点でそれぞれ、一致ならびに相違するものと認められる。
一致点：取付板と支持板からなる縦長の基枠の内側に、上部と下部に鉤部を一体的に設けた摺動杆が摺動可能に配設され、該基枠の取付板にシリンダ錠がその錠軸を内側に差込むように固定され、該錠軸の先端に前記摺動杆と係合するカム板が固定され、前記基枠の取付板がパチンコ機の前面枠に縦に取付けられ、パチンコ機の本体枠側に取付けられた受け金具に前記鉤部が係止されて該前面枠を施錠するパチンコ機用施錠装置において、取付ブラケット部が凹状に形成され、該取付ブラケット部にフランジがねじ止めされ、該基枠の取付板の上部と下部に挿入孔が形成され、該挿入孔に対応した位置に係止孔を設けたガラス枠施錠杆が、前記基枠内の取付板に沿って摺動可能に配設され、該ガラス枠施錠杆には複数の長孔が形成され、該取付板に固定された頭付きガイドピンを該長孔に通してガラス枠施錠杆が所定の範囲で上下摺動可能に支持され、該ガラス枠施錠杆の一部に前記カム板が係合可能な係合部が設けられ、パチンコ機のガラス枠の内側に設けたガラス枠鉤部が、該ガラス枠の閉鎖時に、該挿入孔から該ガラス枠施錠杆の係止孔に進入して係止・施錠され、シリンダ錠を前面枠の解錠時と反対方向に回して該カム板を同方向に回動させることにより、ガラス枠施錠杆を摺動させて該ガラス枠鉤部と係止孔の係合を解きガラス枠を解錠することを特徴とするパチンコ機用施錠装置　
相違点１：取付ブラケットにねじ止めされるフランジが、本件発明では、シリンダー錠の元部のフランジであるのに対して、引用発明では、錠ホルダー２２０の元部のフランジである点
相違点２：凹状に形成され、シリンダ錠（あるいは錠ホルダー）の元部のフランジがねじ止めされる取付ブラケット部が、本件発明では、基枠の取付板の一部を切り開き内側に曲折して構成されているのに対し、引用発明には、このような構成を示す記載がない点
〈相違点の検討〉
　相違点１についてみると、刊行物４（括弧内は刊行物４の対応個所）には、取付板（取付板１ａ）にねじ（固定ねじ２３）止めされるフランジが、シリンダー錠の元部のフランジ（シリンダー錠１５の鍔となる取付基板１８）である点が開示されている。このように、シリンダ錠の元部に取付板にねじ止めされるフランジを設けることは従来から周知である（更に必要ならば、実開昭５５−９２３７８号公報のシリンダー錠１，フランジ１Ａ、嵌合片６Ｃ、ビス２を参照）。
　そして、取付ブラケットにねじ止めされるフランジを、シリンダー錠の元部のフランジとしても、シリンダー錠を内蔵している錠ホルダーの元部のフランジとしても、本件発明の目的・効果に格別の差異を生じないから、本件発明において、取付ブラケットにねじ止めされるフランジをシリンダー錠の元部のフランジとした点は単なる設計事項にすぎない。
　相違点２についてみるに、シリンダ錠のフランジがねじ止めされる取付板の一部を切り開き内側に曲折してブラケット部を構成することは、従来から周知の技術（上記実開昭５５−９２３７８号公報第５図参照）である。
　そして、引用発明の取付面から内側に曲折して凹状に形成されたフランジがねじ止めされるブラケット部に上記従来から周知の技術を適用し、ブラケット部を取付板の一部を切り開き内側に曲折して構成すること、すなわち相違点２に係る本件発明の構成は、当業者が容易に想到し得たものであり、規格化されたシリンダ錠であっても、厚さの薄い前面枠に適用して、シリンダ錠の先端位置を表面に合わせることができるという本件発明の作用効果も引用発明及び従来から周知の事項から当然予測できる程度のものである。
　よって、本件発明は、上記引用発明及び従来周知の技術に基づいて当業者が容易に発明をすることができたものであり、特許法第２９条第２項の規定により特許を受けることができない。
４．むすび
　以上のとおりであるから、本件発明の特許は、特許法第２９条の規定に違反してされたものであるから、同法第１１３条第２号に該当し、取り消されるべきものである。
　よって、結論のとおり決定する。
【異議決定日】
平成１５年８月２２日（２００３．８．２２）
【訂正の要旨】
審決（決定）の【理由】欄参照。
（５４）【発明の名称】
パチンコ機用施錠装置
（５７）【特許請求の範囲】
　【請求項１】　取付板と支持板からなる縦長の基枠の内側に、上部と下部に鉤部を一体的に設けた摺動杆が摺動可能に配設され、該基枠の取付板にシリンダ錠がその錠軸を内側に差込むように固定され、該錠軸の先端に前記摺動杆と係合するカム板が固定され、前記基枠の取付板がパチンコ機の前面枠に縦に取付けられ、パチンコ機の本体枠側に取付けられた受け金具に前記鉤部が係止されて該前面枠を施錠するパチンコ機用施錠装置において、
　
該基枠の取付板の一部を切り開き内側に曲折して取付ブラケット部が凹状に形成され、該取付ブラケット部にシリンダ錠の元部のフランジがねじ止めされ、
【発明の詳細な説明】
　【発明の属する技術分野】
　本発明は、パチンコ機の前面枠を本体枠に対し施錠すると共に、前面枠内に開閉可能に取付けられたガラス枠を、前面枠に対し施錠するパチンコ機用施錠装置に関する。
　【従来の技術】
　パチンコ機の前面枠を本体枠に対し施錠する施錠装置として、断面Ｌ字状の取付板と支持板からなる基枠の内側に、摺動杆が摺動可能に配設され、支持板の上部と下部に鉤部材が摺動杆に連結されて傾動可能に枢支され、取付板の中間部にシリンダ錠がその錠軸を取付板に設けた孔から内側に差込むように固定され、錠軸の先端に摺動杆と係合するカム板が固定されてなる施錠装置が、一般に使用されている（例えば、実公昭５７−８８６７号公報等参照）。
　【発明が解決しようとする課題】
　一方、パチンコ機の前面枠内には、ガラスを嵌め込んだガラス枠が開閉可能に取付けられているが、この種の施錠装置には、ガラス枠を施錠するガラス枠用施錠具は設けられてなく、単にガラス枠用施錠具を解錠するための作動片付き作動杆が、施錠装置の基枠内に設けられ、シリンダ錠によるカム板の回動によりその作動杆を摺動させる機構が設けられているのみである。
　このため、ガラス枠用施錠具を別個に前面枠の内側に取付ける必要があり、その際の取付け作業に多くの工数がかかると共に、施錠装置側の作動片をガラス枠用施錠具側の受け具に合せるように、位置調整を行なう必要があり、取付け時の調整作業にも多くの作業工数がかかる問題があった。
　このため、従来、特開平７−２０４３３７号公報等により、１つの基枠内に前面枠用の施錠装置とガラス枠用の施錠装置を組み込んだパチンコ機の施錠装置が提案されている。
　この施錠装置は、支持板の外側の上部と下部に、ガラス枠施錠用の鉤部材を傾動可能に枢支し、両鉤部材をガラス枠施錠用の摺動杆により連結すると共に、摺動杆の一部を支持板の内側のカム板と係合可能な箇所まで延設し、シリンダ錠によるカム板の反対側への回動により、ガラス枠施錠用の摺動杆を摺動させ、それによってガラス枠用の鉤部材を傾動させ、ガラス枠の解錠を行う構造であった。このため、構造が複雑となり、部品点数が増大して、また、基枠が大形化する問題があった。
　本発明は、上記の課題を解決するためになされたもので、前面枠用の施錠装置にガラス枠用の施錠具を内蔵し、構造が簡単で小形化が可能なパチンコ機用施錠装置を提供することを目的とする。
　【課題を解決するための手段】
　上記の目的を達成するために、本発明の施錠装置は、取付板と支持板からなる縦長の基枠の内側に、上部と下部に鉤部を一体的に設けた摺動杆が摺動可能に配設され、基枠の取付板にシリンダ錠がその錠軸を内側に差込むように固定され、錠軸の先端に摺動杆と係合するカム板が固定され、基枠の取付板がパチンコ機の前面枠に縦に取付けられ、パチンコ機の本体枠側に取付けられた受け金具に鉤部材が係止されて前面枠を施錠するパチンコ機用施錠装置において、
基枠の取付板の一部を切り開き内側に曲折して取付ブラケット部が凹状に形成され、取付ブラケット部にシリンダ錠の元部のフランジがねじ止めされ、
　【発明の作用・効果】
　このような構成の施錠装置では、前面枠を本体枠に対し閉じると、施錠装置の上下の鉤部が本体枠側の受け金具に当って摺動しながら係止され、施錠状態となる。
　それを解錠する場合は、キーによってシリンダ錠を回し、カム板を回転させると、カム板が摺動杆と係合してこれを摺動させ、上下の鉤部が移動することによって、本体枠の受け金具との係合が外れ、前面枠は開放可能な状態となる。
　一方、前面枠内のガラス枠を前面枠に対し閉じると、ガラス枠内のガラス枠鉤部が前面枠側に取り付けた施錠装置の取付板の挿入孔からガラス枠施錠杆の係止孔に進入し、これを摺動させながら、ガラス枠が閉じられたとき、ガラス枠鉤部が係止孔の縁部に係止され、ガラス枠は施錠状態となる。
　ガラス枠を解錠する場合は、シリンダ錠のキーを逆方向に回して、カム板を同方向に回動させる。このとき、カム板の係合凸部がガラス枠施錠杆の係合部と係合してこれを摺動させる。このガラス枠施錠杆の摺動によって、ガラス枠鉤部と係止孔との係合が外れ、ガラス枠は解錠される。
　このように、ガラス枠施錠具を構成するガラス枠施錠杆を基枠内に配設しているため、別個にガラス枠用施錠具を取付ける必要がなく、簡単に取付け作業を行うことができ、ガラス枠用施錠具との間の調整作業も必要としない。また、ガラス枠施錠杆を基枠内に摺動可能に配設し、取付板に設けた挿入孔からガラス枠鉤部をガラス枠施錠杆の係止孔に係止させる構造としたから、従来のものより小形化が可能で、部品点数も少なくすることができる。
　更に、基枠の取付板の一部を内側に曲折して取付ブラケット部を凹状に形成し、取付ブラケット部にシリンダ錠のフランジをねじ止めするようにして装着すれば、規格化されたシリンダ錠であっても、厚さの薄い前面枠に適用して、シリンダ錠の先端位置を表面に合わせることができる。
　【発明の実施の形態】
　以下、本発明の実施例を図面に基づいて説明する。図１は施錠装置の正面図を、図２はその左側面図を、図３はその右側面図を、図４はその背面図を各々示している。１は取付板２と支持板３を略直角に曲折して一体成形してなる縦長の基枠で、取付板２には複数の取付孔が穿設される。
　上部と下部に鉤部４、５を一体的に設けた摺動杆６が上下に摺動可能に配設される。鉤部４、５は三角形頭部を有しその中間部に係合凹部を下側に向けて有している。また、支持板３の一部を内側に曲げそこにスリットを設けることによって、鉤部４、５を摺動可能にガイドするガイド部３ｃを形成している。
　支持板３に２個の長孔３ｂが形成され、その長孔３ｂに頭付ガイドピン６ａを通しその先端が摺動杆６に固定され、摺動杆６は支持板３に対し所定の範囲で摺動可能に支持される。摺動杆６の下部に、後述のカム板８の第一係合凸部８ａが係合する係合部１７が形成される。取付板２と摺動杆６の間にコイルばね９ｃが掛けられ、摺動杆６はこのばねにより常時下方に付勢される。鉤部４、５を上部と下部に有する摺動杆６は、パチンコ機の前面枠用の施錠機構を構成する。
　取付板２の下部の拡幅部分に、シリンダ錠７を取り付けるための異形孔が形成されると共に、取付ブラケット部１８が形成される。取付ブラケット部１８は、取付板２の一部を切り開き、それを内側に曲げて凹状に形成され、シリンダ錠７の元部を基枠１の内側に入れ、その元部（フランジ）をそこに固定する。シリンダ錠７は、その元部にフランジ７ａを有し、錠軸を基枠１の内側に挿入するようにして、フランジ７ａを取付ブラケット部１８にねじ止めして固定する。
　このように、基枠１の内側に凹状に形成された取付ブラケット部１８にシリンダ錠７を固定することにより、シリンダ錠の７の前面への突き出し長を短くし、規格化されたシリンダ錠を厚さの薄い前面枠にも良好に使用することができる。シリンダ錠７の錠軸には第一係合凸部８ａと第二係合凸部８ｂを持つカム板８が固定される。図４反時計方向にカム板８を回動させた場合、カム板の第一係合凸部８ａは摺動杆６の係合部１７に係合し、摺動杆６を上方に摺動させ、鉤部４、５を上方に摺動させる。
　さらに、取付板２の内側に長手方向に沿って、縦長のガラス枠施錠杆１０が摺動可能に配設される。ガラス枠施錠杆１０は、図４に示すように、帯状金属の上部と下部に、係止孔１２と１３を設け、さらに下部にカム板８の第二係合凸部８ｂと係合可能な係合部１４を設けて形成される。上下の係止孔１２、１３は、後述のガラス枠に設けたガラス枠鉤部２６が進入して係止可能に形成され、また、ガラス枠施錠杆１０の中間部には手動操作用の操作部１５が突設される。操作部１５は、基枠１の支持板３に形成した開口部３ａから外側に突き出るように配設される。
　基枠１の取付板２には、ガラス枠鉤部２６を挿通するための挿入孔２ａと２ｂが、図１に示すように形成される。ガラス枠施錠杆１０には、複数の長孔１０ｃが形成され、各々の長孔に頭付ガイドピン２ｃが通され、その先端が取付板２上に固定される。これにより、ガイド枠施錠杆１０は取付板２上において所定の範囲で上下摺動可能に支持される。ガラス枠施錠杆１０と取付板２の間にコイルばね９ｂが掛けられ、さらにガラス枠施錠杆１０と摺動杆６と間にコイルばね９ａが掛けられ、これにより、ガラス枠施錠杆１０は上方へ付勢される。
　このように構成された施錠装置は、図６に示すように、パチンコ機における例えば合成樹脂製の前面枠２１の内側に、シリンダ錠７の先端を前面に露出させ、鉤部４、５をパチンコ機の本体枠２０側に突出した状態で、取付板２を用いて縦に取付けられる。
　一方、本体枠２０の内側の鉤部４、５に対応した上下位置には、受け金具２４、２５が固定される。さらに、パチンコ機の前面にはガラス枠２２が前面枠２１の開口部にヒンジを介して開閉可能に取付けられ、そのガラス枠２２の自由端部に、且つガラス枠施錠杆１０の係止孔１２、１３に進入可能な位置に、ガラス枠鉤部２６、２７が内側に突出して固定される。
　このようなパチンコ機用施錠装置は、パチンコ機における前面枠２１を本体枠２０に対し閉じると、図６に示すように、施錠装置の上下の鉤部４、５が本体枠２０側の受け金具２４、２５に当って上方に移動し、コイルばね９ａの付勢力により戻って係止され、施錠状態となる。
　それを解錠する場合は、キーによってシリンダ錠７の錠軸を回し、カム板８を図４反時計方向に回転させると、カム板８の第一係合凸部８ａが摺動杆６の係合部１７と係合してこれを上方へ摺動させ、上下の鉤部４、５を上に移動させる。この鉤部４、５の上移動によって、本体枠の受け金具２４、２５との係合が外れ、前面枠２１は開放可能な状態となる。
　一方、前面枠２１内のガラス枠２２を前面枠２１に対し閉じると、図６に示すように、ガラス枠２２の内側に突出したガラス枠鉤部２６、２７が、挿入孔２ａ，２ｂから基枠１内に進入し、ガラス枠施錠杆１０の係止孔１２、１３に入る。そして、ガラス枠施錠杆１０を下方に摺動させた後、コイルばね９ａ，９ｂの付勢力によりガラス枠施錠杆１０が上方に戻り、これにより、ガラス枠鉤部２６、２７が係止孔１２、１３の縁部に係止され、ガラス枠２２は施錠状態となる。
　ガラス枠２２を解錠する場合は、シリンダ錠７のキーを逆方向に回して、カム板８を図４時計方向へ回動させると、図７に示すように、カム板８の第二係合凸部８ｂがガラス枠施錠杆１０の係合部１４と係合してこれを下方へ摺動させ、上下の係止孔１２、１３を下方へ移動させる。この動作によって、ガラス枠２２のガラス枠鉤部２６、２７と係止孔１２、１３の縁部の係合が外れ、ガラス枠２２は開放される。
　このように、前面枠用の施錠装置の基枠１内に、ガラス枠施錠杆１０を内蔵しているため、基枠１の取付板２を前面枠２１の内側に固定するだけで、別個にガラス枠用施錠具を取付ける必要がなく、簡単に取付け作業を行うことができる。また、別個にガラス枠用施錠具を取付ける場合のように、ガラス枠用施錠具との間の調整作業も必要としない。さらに、従来のこの種の施錠装置に比べ、構造が簡単化できると共に、部品点数が少なくなり、基枠つまり施錠装置の外形を小形化することができる。
【図面の簡単な説明】
　【図１】
　本発明の一実施例を示す施錠装置の正面図である。
　【図２】
　その左側面図である。
　【図３】
　その右側面図である。
　【図４】
　その背面図である。
　【図５】
　施錠装置の分解側面図である。
　【図６】
　使用状態を示す右側面図である。
　【図７】
　ガラス枠施錠杆の移動時（解錠時）の背面図である。
　【符号の説明】
　１−基枠
　２−取付板
　３−支持板
　４、５−鉤部
　６−摺動杆
　７−シリンダ錠
　８−カム板
　１０−ガラス枠施錠杆
　１２、１３−係止孔
　２６、２７−ガラス枠鉤部